(57)【要約】      （修正有）【課題】印刷式極細径同軸伝送ケーブルの提供。【解決手段】一種の複層多線(Multi-layer and Multi-channel)構造の印刷式極細径同軸伝送ケーブルに関わるもので、第一金属シールド層３２と、第一金属シールド層に設ける第一絶縁層３４と、第一絶縁層に設ける導電層３６、導電層は複数の仕切られた条片状の導電部材３６０により設けられ、かつ二つの導電部材の間に差動伝送ペア(Differential Transmission Pair)３６Ａを構成する。導電層に設ける第二絶縁層３８と、第二絶縁層に設ける第二金属シールド層４０と、二つの金属シールド層外部に被せる外部絶縁層４２より構成される。これによって、印刷方式により極細径同軸伝送ケーブルの構造を改変し生産プロセスの簡素化とコスト軽減を図るほか、伝送ペア２本線の距離を短縮することにより、両者の相互カップリングを強化し伝送回線のクロストークと電磁干渉の拮抗力を増強して、信号伝送の品質向上を目的としている。【選択図】図５
0003134652.tif 000002
【実用新案登録請求の範囲】
【請求項１】
第一金属シールド層、第一絶縁層、導電層及び第二絶縁層を含み、
該第一絶縁層は該第一金属シールド層上部に設け、
該導電層は該第一絶縁層の上部に設け、印刷により複数の仕切られた導電部材を設け、かつ各二つの導電部材は一つの伝送ペアを構成し、
該第二絶縁層は該導電層に設ける特徴を有する印刷式極細径同軸伝送ケーブル。
【請求項２】
該導電層は金属グルーを印刷して形成することを特徴とする請求項１記載の印刷式極細径同軸伝送ケーブル。
【請求項３】
さらに、第二金属シールド層を該第二絶縁層の上部にて、金属グルーを印刷して形成することを特徴とする請求項1記載の印刷式極細径同軸伝送ケーブル。
【請求項４】
該第二絶縁層は該伝送ペアの間に複数の貫通した溝孔を備え、該第二金属シールド層は該溝孔に合わせて連結し、シールド接続部を延ばして設け、該シールド接続部は該溝孔を介して、該第一金属シールド層に導通することを特徴とする請求項３記載の印刷式極細径同軸伝送ケーブル。
【請求項５】
該第二絶縁層は該伝送ペアを覆い、該第一絶縁層に連結することを特徴とする請求項１記載の印刷式極細径同軸伝送ケーブル。
【請求項６】
該第二金属シールド層は、該隣り合う伝送ペアの間の仕切り位置において、シールド接続部を連結し延設することを特徴とする請求項１記載の印刷式極細径同軸伝送ケーブル。
【請求項７】
該シールド接続部は該第一絶縁層と連結することを特徴とする請求項１記載の印刷式極細径同軸伝送ケーブル。
【請求項８】
該第二金属シールド層と該第一金属シールド層は共同に接地し、コネクタに接続することを特徴とする請求項１記載の印刷式極細径同軸伝送ケーブル。
【請求項９】
該第二絶縁層は誘電物質を印刷して形成することを特徴とする請求項１記載の印刷式極細径同軸伝送ケーブル。
【請求項１０】
該誘電物質を印刷した該第二絶縁層は、伝送ペアをユニットとして、該導電部材と該第一絶縁層に印刷し、該伝送ペアを封止することを特徴とする請求項９記載の印刷式極細径同軸伝送ケーブル。
【請求項１１】
該第二金属シールド層は該第一金属シールド層と同じ部材を使用することを特徴とする請求項１記載の印刷式極細径同軸伝送ケーブル。
【請求項１２】
該第二金属シールド層と該第一金属シールド層の外部はそれぞれ外部絶縁層を覆われることを特徴とする請求項1記載の印刷式極細径同軸伝送ケーブル。
【請求項１３】
該伝送ペアの側面は、該外部絶縁層に連結するための側壁層を設けることを特徴とする請求項１２記載の印刷式極細径同軸伝送ケーブル。
【請求項１４】
該側壁層はシールド効果の側面シールド層が印刷されていることを特徴とする請求項１３記載の印刷式極細径同軸伝送ケーブル。
【請求項１５】
第一金属シールド層、繰り返し重ね合う第一金属シールド層、導電層及び第二絶縁層を含み、そのうち、
該第一絶縁層は該第二金属シールド層上部に設け、
該導電層は該第一絶縁層の上部に設け、印刷により複数の仕切られた導電部材を設け、かつ上、下の導電層の導電部材は対応して設け、一つの伝送ペアを構成し、
該第二絶縁層は該上部層の導電層に設ける特徴を有する一種の印刷式極細径同軸伝送ケーブル。
【請求項１６】
該導電層は金属グルーを印刷して形成することを特徴とする請求項１６記載の印刷式極細径同軸伝送ケーブル。
【請求項１７】
第二金属シールド層を該第二絶縁層の上部はさらに金属グルーを印刷して形成することを特徴とする請求項１５記載の印刷式極細径同軸伝送ケーブル。
【請求項１８】
該第二金属シールド層と該第一金属シールド層の外部はそれぞれ外部絶縁層を覆うことを特徴とする請求項１７記載の印刷式極細径同軸伝送ケーブル。
【考案の詳細な説明】
【技術分野】
【０００１】
本考案は印刷式極細径同軸伝送ケーブル、特に一種の印刷方式により、従来の極細径同軸伝送ケーブルに取り代わって、生産プロセスの簡素化とコストを軽減し、電磁干渉を減少する印刷式極細径同軸伝送ケーブルに関わるものである。
【背景技術】
【０００２】
従来の極細径同軸伝送ケーブル(Micro Coaxial Cable, MCC)の構造は図1に示すように、該極細径同軸伝送ケーブル90は芯線91を備え、該極細径同軸伝送ケーブル90が2線式構造のとき(未図示)は、2本の芯線91を備える。
該芯線91の外部は内部絶縁被覆92に覆われ、内部絶縁被覆92の外部はさらにシールド金属層(Shield) 93を覆い、該シールド金属層93の外部はさらに外部絶縁層94を被覆する。該極細径同軸ケーブルを製造するには、銅線の伸線と絶縁層被覆など複数の生産工程を要するほか、同軸ケーブルとコネクタとの組み立ても複雑で大量な手間を掛かる。その一部の前処理工程は図2A、2Bに示す。このため、極細径同軸ケーブルの製造と組み立てコストが割高である。
さらに、公知技術の極細径同軸ケーブルはシールド金属層93の切断と剥離のときに金属線931を残して、ノイズ(Noise)の発生源となる。よって、極細径同軸ケーブル(MCC)の構造設計において、生産工程を簡素化させ、信号の伝送品質向上は業界の研究目標であった。
【考案の開示】
【考案が解決しようとする課題】
【０００３】
印刷方式により極細径同軸ケーブルの構造を改変し、生産プロセスの簡素化とコスト軽減を図る一種の印刷式極細径同軸伝送ケーブルを提供することを本考案の目的である。
従来の極細径同軸ケーブルの組立工程に残された金属線によるノイズ発生を避け、電磁干渉とクロストークを軽減するほか、信号の伝送品質の向上を図る一種の印刷式極細径同軸伝送ケーブルを提供することを本考案のもう一つの目的である。
【０００４】
本考案は前記の目的を達成するための主な技術手段は、該印刷式極細径同軸伝送ケーブルは第一金属シールド層と、該第一金属シールド層に設ける第一絶縁層と、該第一絶縁層に設ける導電層、該導電層は複数の仕切られた条片状の導電部材を設け、かつ該二つの導電部材の間に伝送ペアを構成と、該導電層に設ける第二絶縁層と、第二絶縁層に設ける第二金属シールド層と、及び二つの金属シールド層の外部に設ける外部絶縁層より構成する。
【０００５】
前記した構成要素により、同軸伝送ケーブルをそのまま印刷でき、従来の線材による銅線の伸線と絶縁被覆など煩雑な生産工程を省けるほか、従来の同軸伝送ケーブル組み立てに掛かる複数の絶縁層と金属シールド層の切断、剥離工程を省くことができ、組立工程を大幅に簡素化できる。さらに、本考案は金属シールド層の切断、剥離工程は不要のため、従来の残留金属線によるノイズ課題を根絶できるほか、伝送ペア2線間の距離を短縮することにより、伝送ペアのカップリングが強化され、クロストークと電磁干渉の拮抗力を増強して、信号伝送品質の向上を実現できる。
【課題を解決するための手段】
【０００６】
請求項１の考案は、第一金属シールド層、第一絶縁層、導電層及び第二絶縁層を含み、
該第一絶縁層は該第一金属シールド層上部に設け、
該導電層は該第一絶縁層の上部に設け、印刷により複数の仕切られた導電部材を設け、かつ各二つの導電部材は一つの伝送ペアを構成し、
該第二絶縁層は該導電層に設ける特徴を有する印刷式極細径同軸伝送ケーブルとしている。
請求項２の考案は、該導電層は金属グルーを印刷して形成することを特徴とする請求項１記載の印刷式極細径同軸伝送ケーブルとしている。
請求項３の考案は、さらに、第二金属シールド層を該第二絶縁層の上部にて、金属グルーを印刷して形成することを特徴とする請求項1記載の印刷式極細径同軸伝送ケーブルとしている。
請求項４の考案は、該第二絶縁層は該伝送ペアの間に複数の貫通した溝孔を備え、該第二金属シールド層は該溝孔に合わせて連結し、シールド接続部を延ばして設け、該シールド接続部は該溝孔を介して、該第一金属シールド層に導通することを特徴とする請求項３記載の印刷式極細径同軸伝送ケーブルとしている。
請求項５の考案は、該第二絶縁層は該伝送ペアを覆い、該第一絶縁層に連結することを特徴とする請求項１記載の印刷式極細径同軸伝送ケーブルとしている。
請求項６の考案は、該第二金属シールド層は、該隣り合う伝送ペアの間の仕切り位置において、シールド接続部を連結し延設することを特徴とする請求項１記載の印刷式極細径同軸伝送ケーブルとしている。
請求項７の考案は、該シールド接続部は該第一絶縁層と連結することを特徴とする請求項１記載の印刷式極細径同軸伝送ケーブルとしている。
請求項８の考案は、該第二金属シールド層と該第一金属シールド層は共同に接地し、コネクタに接続することを特徴とする請求項１記載の印刷式極細径同軸伝送ケーブルとしている。
請求項９の考案は、該第二絶縁層は誘電物質を印刷して形成することを特徴とする請求項１記載の印刷式極細径同軸伝送ケーブルとしている。
請求項１０の考案は、該誘電物質を印刷した該第二絶縁層は、伝送ペアをユニットとして、該導電部材と該第一絶縁層に印刷し、該伝送ペアを封止することを特徴とする請求項９記載の印刷式極細径同軸伝送ケーブルとしている。
請求項１１の考案は、該第二金属シールド層は該第一金属シールド層と同じ部材を使用することを特徴とする請求項１記載の印刷式極細径同軸伝送ケーブルとしている。
請求項１２の考案は、該第二金属シールド層と該第一金属シールド層の外部はそれぞれ外部絶縁層を覆われることを特徴とする請求項1記載の印刷式極細径同軸伝送ケーブルとしている。
請求項１３の考案は、該伝送ペアの側面は、該外部絶縁層に連結するための側壁層を設けることを特徴とする請求項１２記載の印刷式極細径同軸伝送ケーブルとしている。
請求項１４の考案は、該側壁層はシールド効果の側面シールド層が印刷されていることを特徴とする請求項１３記載の印刷式極細径同軸伝送ケーブルとしている。
請求項１５の考案は、第一金属シールド層、繰り返し重ね合う第一金属シールド層、導電層及び第二絶縁層を含み、そのうち、
該第一絶縁層は該第二金属シールド層上部に設け、
該導電層は該第一絶縁層の上部に設け、印刷により複数の仕切られた導電部材を設け、かつ上、下の導電層の導電部材は対応して設け、一つの伝送ペアを構成し、
該第二絶縁層は該上部層の導電層に設ける特徴を有する一種の印刷式極細径同軸伝送ケーブルとしている。
請求項１６の考案は、該導電層は金属グルーを印刷して形成することを特徴とする請求項１６記載の印刷式極細径同軸伝送ケーブルとしている。
請求項１７の考案は、第二金属シールド層を該第二絶縁層の上部はさらに金属グルーを印刷して形成することを特徴とする請求項１５記載の印刷式極細径同軸伝送ケーブルとしている。
請求項１８の考案は、該第二金属シールド層と該第一金属シールド層の外部はそれぞれ外部絶縁層を覆うことを特徴とする請求項１７記載の印刷式極細径同軸伝送ケーブルとしている。
【考案の効果】
【０００７】
一種の複層多線(Multi-layer and Multi-channel)構造の印刷式極細径同軸伝送ケーブルに関わるもので、第一金属シールド層と、該第一金属シールド層に設ける第一絶縁層と、該第一絶縁層に設ける導電層、該導電層は複数の仕切られた条片状の導電部材により設けられ、かつ二つの該導電部材の間に差動伝送ペア(Differential Transmission Pair)を構成する。該導電層に設ける第二絶縁層と、第二絶縁層に設ける第二金属シールド層と、二つの金属シールド層外部に被せる外部絶縁層より構成される。これによって、印刷方式により極細径同軸伝送ケーブルの構造を改変し生産プロセスの簡素化とコスト軽減を図るほか、伝送ペア2本線の距離を短縮することにより、両者の相互カップリングを強化し伝送回線のクロストークと電磁干渉の拮抗力を増強して、信号伝送の品質向上を目的としている。
【考案を実施するための最良の形態】
【０００８】
図３に本考案の印刷式極細径同軸伝送ケーブルの実施例1を示す。第一金属シールド層12を備え、その上部に第一絶縁層14を設け、該第一絶縁層14の上部は印刷により導電層16を設け、該導電層16は複数の仕切られた条片状の導電部材160を設ける。そのうち、各二つの導電部材160は一つの伝送ペア16Aを構成する。第二絶縁層18を該導電層16上部に設ける。図4に示す通り、該第二絶縁層18において、該導電層16の伝送ペア16Aとの仕切り場所は対応して複数の貫通した溝孔181 (又は丸形貫通孔)を設け、かつ該第二絶縁層18は該伝送ペア16Aの端面を覆い、該第一絶縁層14に連結して、該伝送ペア16Aを封止する。該第二絶縁層18上部は印刷により第二金属シールド層20を設け、該第二金属シールド層20は該溝孔181と向かい合って連結しシールド接続部201を延ばす。該シールド接続部201は該溝孔181を介して、該第一金属シールド層12と相互に連結する。該第二金属シールド層20、シールド接続部201及び第一金属シールド層12は該導電層16の伝送ペア16Aのシールドを構成し、かつ該第二金属シールド層20、第一金属シールド層12は共同に接地し、コネクタに接続する(未図示)。該導電構造層は絶縁と強化を図るため、さらに該第二金属シールド層20、第一金属シールド層12外部の上、下表面を覆い外部絶縁層22を設ける。
【０００９】
図５に本考案の印刷式極細径同軸伝送ケーブルの実施例2を示す。主に第一金属シールド層32を備え、その上部に第一絶縁層34を設け、該第一絶縁層34の上部は印刷により導電層36を設ける。該導電層36は複数の仕切られた条片状の導電部材360により設ける。そのうち、各二つの導電部材360より一つの伝送ペア36Aを構成する。該導電層36上部は誘電物質を印刷し第二絶縁層38を設け、該第二絶縁層38は該伝送ペア36Aをユニットとして、該伝送ペア36A及び第一絶縁層34に印刷し該伝送ペア36Aを封止しておく、該第二絶縁層38上部はさらに印刷により第二金属シールド層40を設け、該第二金属シールド層40と該伝送ペア36Aとの間にシールド接続部401を設け、該シールド接続部401は該第一絶縁層34に延ばして、左右両側の伝送ペア36Aを完全にシールドできる。すなわち、該第二金属シールド層40と、シールド接続部401及び第一金属シールド層32は該導電層36に備える各伝送ペア36A間のシールドを構成するほか、該上、下の第二金属シールド層40、第一金属シールド層32は共同に接地してコネクタに接続(未図示)する。該第二金属シールド層40、第一金属シールド層32の外部はさらに外部絶縁層42を覆って設ける。
【００１０】
図６は本考案の印刷式極細径同軸伝送ケーブルの実施例3を示す。主に、第一金属シールド層52を備え、その上部に第一絶縁層54を設け、該第一絶縁層54の上部に導電層56を印刷により設ける。該導電層56は複数の仕切られた条片状の導電部材560により設置し、かつ各二つの導電部材560の間に一つの伝送ペア56Aを構成する。該導電層56上部に第二絶縁層58を設ける。そのうち、該伝送ペア56Aの間の導電部材560の仕切り561及び各伝送ペア56A間の仕切り562は、くり抜き状である。すなわち、該第一絶縁層54と該第二絶縁層58とは連結されない。該第二絶縁層58の上部はさらに第二金属シールド層60を設け、該第二金属シールド層60と第一金属シールド層52は該導電層56の伝送ペア56A間のシールドを構成するほか、該第二金属シールド層60、第一金属シールド層52は共同に接地して、コネクタに接続(未図示)する。該導電構造層はさらに、第二金属シールド層60、第一金属シールド層52の上、下の外部表面はさらに外部絶縁層62を設ける。
【００１１】
図７は、本考案の印刷式極細径同軸伝送ケーブルの実施例4を示す。主に第一金属シールド層72を備え、複数の仕切られた金属棒より構成する。その上部に第一絶縁層74を設け、該第一絶縁層74上部は印刷により導電層76を設け、該導電層76は複数の仕切られた条片状の導電部材760を設け、かつ各二つの導電部材760の間に一つの伝送ペア76Aを構成する。該導電層76上部に第二絶縁層78を設け、該第二絶縁層78の上部はさらに第二金属シールド層80を設け、該複数の導電構造層はあらためてその上、下の外部表面及び伝送ペア76Aの側面に外部絶縁層82と絶縁の側壁層84を設け、該側壁層84を該上、下外部絶縁層82の間に設ける。さらに該側壁層84はインクジェット印刷により側面シールド層86を設ける。該第二金属シールド層80、第一金属シールド層72及び側面シールド層86は該導電層76に備える各伝送ペア76Aのシールドを提供し、かつ該第二金属シールド層80、第一金属シールド層72は共同に接地しコネクタに接続(未図示)する。
【００１２】
引き続き、図８は本考案の極細径同軸伝送ケーブルの実施例5を示す。本実施例と前述の実施例3 (図６)の構造形態に類似する。主な差異は実施例3の導電部材560は左右に二つを並列して設けるものに対し、実施例5の導電部材560'は上、下対応して向かい合う方式にて設置するため、構造上は第一金属シールド層52、第二金属シールド層60及び上、下の外部絶縁層62が同じことを除く、第一絶縁層54と導電層56は繰り返し重ね合う形で設けることにより、同じく本考案の目的を達成できる。
【００１３】
本考案は印刷方式により、極細径同軸伝送ケーブルの構造を改変し、生産工程の簡素化及びコスト軽減を実現できるほか、伝送ペア2線間の距離を短縮し、両者のカップリングを強化した上、伝送ケーブルのクロストークと電磁干渉の拮抗力を増強し、信号伝送の品質を向上する。
【図面の簡単な説明】
【００１４】
【図１】公知技術の同軸ケーブル構造の概略図である。
【図２Ａ】公知技術の同軸ケーブルの部分組み立て工程の概略図である。
【図２Ｂ】公知技術の同軸ケーブルの製造フロー図である。
【図３】本考案の極細径同軸伝送ケーブル実施例1を説明する概略図である。
【図４】本考案の極細径同軸伝送ケーブル実施例1の導電層構造を説明する概略図である。
【図５】本考案の極細径同軸伝送ケーブル実施例2を説明する概略図である。
【図６】本考案の極細径同軸伝送ケーブル実施例3を説明する概略図である。
【図７】本考案の極細径同軸伝送ケーブル実施例4を説明する概略図である。
【図８】本考案の極細径同軸伝送ケーブル実施例5を説明する概略図である。
【符号の説明】
【００１５】
90  極細径同軸伝送ケーブル
91  芯線  
92  内部絶縁被覆
93  シールド金属層  
94  外部絶縁層
931  金属線  
95、95A  金属被覆部材
12  第一金属シールド層
14  第一絶縁層
16  導電層  
16A  伝送ペア
181  溝孔  
160  導電部材
18  第二絶縁層  
20  第二金属シールド層
201  シールド接続部  
22  外部絶縁層
32  第一金属シールド層  
34  第一絶縁層
36  導電層  
38  第二絶縁層
360  導電部材  
36A  伝送ペア
40  第二金属シールド層  
401  シールド接続部
42  外部絶縁層  
52  第一金属シールド層
54  第一絶縁層  
56  導電層
560、560'  導電部材  
56A  伝送ペア
760  導電部材  
76A  伝送ペア
58  第二絶縁層  
561、562  仕切り
60  第二金属シールド層  
62  外部絶縁層
72  第一金属シールド層  
74  第一絶縁層
76  導電層  
78  第二絶縁層
80  第二金属シールド層  
82  外部絶縁層
84  側壁層  
86  側面シールド層
【図１】
0003134652.tif 000003
【図２Ａ】
0003134652.tif 000004
【図２Ｂ】
0003134652.tif 000005
【図３】
0003134652.tif 000006
【図４】
0003134652.tif 000007
【図５】
0003134652.tif 000008
【図６】
0003134652.tif 000009
【図７】
0003134652.tif 000010
【図８】
0003134652.tif 000011
【手続補正書】
【提出日】平成19年6月13日(2007.6.13)
【手続補正１】
【補正対象書類名】実用新案登録請求の範囲
【補正対象項目名】全文
【補正方法】変更
【補正の内容】
【実用新案登録請求の範囲】
【請求項１】
第一金属シールド層、第一絶縁層、導電層及び第二絶縁層を含み、
該第一絶縁層は該第一金属シールド層上部に設け、
該導電層は該第一絶縁層の上部に設け、印刷により複数の仕切られた導電部材を設け、かつ各二つの導電部材は一つの伝送ペアを構成し、
該第二絶縁層は該導電層に設ける特徴を有する印刷式極細径同軸伝送ケーブル。
【請求項２】
該導電層は金属グルーを印刷して形成することを特徴とする請求項１記載の印刷式極細径同軸伝送ケーブル。
【請求項３】
さらに、第二金属シールド層を該第二絶縁層の上部にて、金属グルーを印刷して形成することを特徴とする請求項１記載の印刷式極細径同軸伝送ケーブル。
【請求項４】
該第二絶縁層は該伝送ペアの間に複数の貫通した溝孔を備え、該第二金属シールド層は該溝孔に合わせて連結し、シールド接続部を延ばして設け、該シールド接続部は該溝孔を介して、該第一金属シールド層に導通することを特徴とする請求項３記載の印刷式極細径同軸伝送ケーブル。
【請求項５】
該第二絶縁層は該伝送ペアを覆い、該第一絶縁層に連結することを特徴とする請求項１記載の印刷式極細径同軸伝送ケーブル。
【請求項６】
該第二金属シールド層は、該隣り合う伝送ペアの間の仕切り位置において、シールド接続部を連結し延設することを特徴とする請求項１記載の印刷式極細径同軸伝送ケーブル。
【請求項７】
該シールド接続部は該第一絶縁層と連結することを特徴とする請求項１記載の印刷式極細径同軸伝送ケーブル。
【請求項８】
該第二金属シールド層と該第一金属シールド層は共同に接地し、コネクタに接続することを特徴とする請求項１記載の印刷式極細径同軸伝送ケーブル。
【請求項９】
該第二絶縁層は誘電物質を印刷して形成することを特徴とする請求項１記載の印刷式極細径同軸伝送ケーブル。
【請求項１０】
該誘電物質を印刷した該第二絶縁層は、伝送ペアをユニットとして、該導電部材と該第一絶縁層に印刷し、該伝送ペアを封止することを特徴とする請求項９記載の印刷式極細径同軸伝送ケーブル。
【請求項１１】
該第二金属シールド層は該第一金属シールド層と同じ部材を使用することを特徴とする請求項１記載の印刷式極細径同軸伝送ケーブル。
【請求項１２】
該第二金属シールド層と該第一金属シールド層の外部はそれぞれ外部絶縁層を覆われることを特徴とする請求項１記載の印刷式極細径同軸伝送ケーブル。
【請求項１３】
該伝送ペアの側面は、該外部絶縁層に連結するための側壁層を設けることを特徴とする請求項１２記載の印刷式極細径同軸伝送ケーブル。
【請求項１４】
該側壁層はシールド効果の側面シールド層が印刷されていることを特徴とする請求項１３記載の印刷式極細径同軸伝送ケーブル。
【請求項１５】
第一金属シールド層、繰り返し重ね合う第一金属シールド層、導電層及び第二絶縁層を含み、そのうち、
該第一絶縁層は該第二金属シールド層上部に設け、
該導電層は該第一絶縁層の上部に設け、印刷により複数の仕切られた導電部材を設け、かつ上、下の導電層の導電部材は対応して設け、一つの伝送ペアを構成し、
該第二絶縁層は該上部層の導電層に設ける特徴を有する一種の印刷式極細径同軸伝送ケーブル。
【請求項１６】
該導電層は金属グルーを印刷して形成することを特徴とする請求項１５記載の印刷式極細径同軸伝送ケーブル。
【請求項１７】
第二金属シールド層を該第二絶縁層の上部はさらに金属グルーを印刷して形成することを特徴とする請求項１５記載の印刷式極細径同軸伝送ケーブル。
【請求項１８】
該第二金属シールド層と該第一金属シールド層の外部はそれぞれ外部絶縁層を覆うことを特徴とする請求項１７記載の印刷式極細径同軸伝送ケーブル。
【手続補正２】
【補正対象書類名】明細書
【補正対象項目名】０００６
【補正方法】変更
【補正の内容】
【０００６】
請求項１の考案は、第一金属シールド層、第一絶縁層、導電層及び第二絶縁層を含み、該第一絶縁層は該第一金属シールド層上部に設け、
該導電層は該第一絶縁層の上部に設け、印刷により複数の仕切られた導電部材を設け、かつ各二つの導電部材は一つの伝送ペアを構成し、
該第二絶縁層は該導電層に設ける特徴を有する印刷式極細径同軸伝送ケーブルとしている。
請求項２の考案は、該導電層は金属グルーを印刷して形成することを特徴とする請求項１記載の印刷式極細径同軸伝送ケーブルとしている。
請求項３の考案は、さらに、第二金属シールド層を該第二絶縁層の上部にて、金属グルーを印刷して形成することを特徴とする請求項１記載の印刷式極細径同軸伝送ケーブルとしている。
請求項４の考案は、該第二絶縁層は該伝送ペアの間に複数の貫通した溝孔を備え、該第二金属シールド層は該溝孔に合わせて連結し、シールド接続部を延ばして設け、該シールド接続部は該溝孔を介して、該第一金属シールド層に導通することを特徴とする請求項３記載の印刷式極細径同軸伝送ケーブルとしている。
請求項５の考案は、該第二絶縁層は該伝送ペアを覆い、該第一絶縁層に連結することを特徴とする請求項１記載の印刷式極細径同軸伝送ケーブルとしている。
請求項６の考案は、該第二金属シールド層は、該隣り合う伝送ペアの間の仕切り位置において、シールド接続部を連結し延設することを特徴とする請求項１記載の印刷式極細径同軸伝送ケーブルとしている。
請求項７の考案は、該シールド接続部は該第一絶縁層と連結することを特徴とする請求項１記載の印刷式極細径同軸伝送ケーブルとしている。
請求項８の考案は、該第二金属シールド層と該第一金属シールド層は共同に接地し、コネクタに接続することを特徴とする請求項１記載の印刷式極細径同軸伝送ケーブルとしている。
請求項９の考案は、該第二絶縁層は誘電物質を印刷して形成することを特徴とする請求項１記載の印刷式極細径同軸伝送ケーブルとしている。
請求項１０の考案は、該誘電物質を印刷した該第二絶縁層は、伝送ペアをユニットとして、該導電部材と該第一絶縁層に印刷し、該伝送ペアを封止することを特徴とする請求項９記載の印刷式極細径同軸伝送ケーブルとしている。
請求項１１の考案は、該第二金属シールド層は該第一金属シールド層と同じ部材を使用することを特徴とする請求項１記載の印刷式極細径同軸伝送ケーブルとしている。
請求項１２の考案は、該第二金属シールド層と該第一金属シールド層の外部はそれぞれ外部絶縁層を覆われることを特徴とする請求項１記載の印刷式極細径同軸伝送ケーブルとしている。
請求項１３の考案は、該伝送ペアの側面は、該外部絶縁層に連結するための側壁層を設けることを特徴とする請求項１２記載の印刷式極細径同軸伝送ケーブルとしている。
請求項１４の考案は、該側壁層はシールド効果の側面シールド層が印刷されていることを特徴とする請求項１３記載の印刷式極細径同軸伝送ケーブルとしている。
請求項１５の考案は、第一金属シールド層、繰り返し重ね合う第一金属シールド層、導電層及び第二絶縁層を含み、そのうち、
該第一絶縁層は該第二金属シールド層上部に設け、
該導電層は該第一絶縁層の上部に設け、印刷により複数の仕切られた導電部材を設け、かつ上、下の導電層の導電部材は対応して設け、一つの伝送ペアを構成し、
該第二絶縁層は該上部層の導電層に設ける特徴を有する一種の印刷式極細径同軸伝送ケーブルとしている。
請求項１６の考案は、該導電層は金属グルーを印刷して形成することを特徴とする請求項１５記載の印刷式極細径同軸伝送ケーブルとしている。
請求項１７の考案は、第二金属シールド層を該第二絶縁層の上部はさらに金属グルーを印刷して形成することを特徴とする請求項１５記載の印刷式極細径同軸伝送ケーブルとしている。
請求項１８の考案は、該第二金属シールド層と該第一金属シールド層の外部はそれぞれ外部絶縁層を覆うことを特徴とする請求項１７記載の印刷式極細径同軸伝送ケーブルとしている。